(57)【要約】【課題】本発明は一般家庭で衣類等のしわ伸ばしに使用されるコードレスアイロンの給電部の構造に関し、簡単な構成で小型で安全かつ安定性にも優れたコードレスアイロンを安価に提供することを目的とするものである。【解決手段】給電端子を有するアイロン本体と、このアイロン本体を載置する載置部、電極を設けた充電部、およびこの充電部と前記給電端子を接続する接続部を有する載置台とを備え、前記アイロン本体を載置台に載置した時、前記接続部を充電部側へ移動させて、前記充電部と給電端子を電気的に接続させるようにしたものである。【選択図】  図１
2005034184.tif 000002
【特許請求の範囲】
【請求項１】
給電端子を有するアイロン本体と、このアイロン本体を載置する載置部、電極を設けた充電部、およびこの充電部と前記給電端子を接続する接続部を有する載置台とを備え、前記アイロン本体を載置台に載置した時、前記接続部を充電部側へ移動させて、前記充電部と給電端子を電気的に接続させるようにしたコードレスアイロン。
【請求項２】
接続部は、給電端子と充電部を電気的に接続する導電部を備えた請求項１記載のコードレスアイロン。
【請求項３】
接続部は、充電部の外面を覆うカバー部を有するとともに、前記カバー部は、アイロン本体を載置台から離脱した時、前記充電部の電極を覆うようにした請求項１または２記載のコードレスアイロン。
【請求項４】
載置台は、アイロン本体の後部を下にして自立状態に載置するようにした請求項１〜３記載のコードレスアイロン。
【請求項５】
載置台は、アイロン本体の掛け面を下にして前上がりに傾斜させて載置するようにした請求項１〜３記載のコードレスアイロン。
【発明の詳細な説明】
【０００１】
【発明の属する技術分野】
本発明は一般家庭で衣類等のしわ伸ばしに使用されるコードレスアイロン、特にその給電部の構造に関するものである。
【０００２】
【従来の技術】
従来のこの種のコードレスアイロンは、アイロン本体を載置台に載置していない時の感電防止を図るとともに載置台のコンパクト化を図るために、載置台に設けられた充電部を、アイロン本体の非載置時には載置台内部に収納し、その上部開口を絶縁カバーで閉じておき、アイロン本体を載置した時に、絶縁カバーを横方向に移動させるとともに、充電部をアイロン本体側に移動させて給電端子と電気的に接続させるように構成されているものが一般的であった。
【０００３】
すなわち、図７〜図９に示すように、アイロン本体１を載置台２に載置した時、電源端子を設けた充電部３を、アイロン本体１の重量を利用しててこの原理でアイロン本体１側へ移動させて、充電部３の電源端子４とアイロン本体１に設けた給電端子５とを接続させ、アイロン本体１に給電を行い、アイロン本体１のベースを加熱するようになっていた。
【０００４】
そして、アイロン本体１を載置台２から取りはずした時には、充電部３はばね６の復元力によって下降し、載置台２の内部に収容されるとともに、絶縁カバー７が横方向に移動してきて開口を閉じ、作業者が充電部３の電源端子４に触れることがないようにしていた（例えば特許文献１参照）。
【０００５】
また、図１０〜図１１に示すように、アイロン本体１の掛け面を下にして前上がりに傾斜させて載置台２に載置するようにした形式のコードレスアイロンにおいても、遮蔽体８を開閉させるというほぼ同様の考えに基づく構成を採用して、作業者が充電部に触れることがないようにしていた（例えば特許文献２参照）。
【０００６】
【特許文献１】
特開昭６２−１４２６００号公報
【特許文献２】
特開平３−７５０９５号公報
【０００７】
【発明が解決しようとする課題】
しかしながら上記従来のコードレスアイロンでは、アイロン本体１の給電端子５と充電部３の電源端子４とが接続される時に、絶縁カバー７が横方向に移動しているので、接続時に時として発生する火花が使用者から見えてしまい、使用者に不安感を与えて商品としての品位を損なうという課題があった。
【０００８】
また、アイロン本体１を載置台２から取りはずした時には、絶縁カバー７が開口を閉じ、作業者が充電部３の電源端子４に触れることを防止しているものの、絶縁カバー７を横方向へ強制的に移動させることが可能な構成であった。
【０００９】
さらに、絶縁カバーを横方向に移動する構成としていること、およびてこの原理を利用する構成としていることから、構成および構造が複雑となり、動作の安定性、耐久性、占有体積およびコストの面でも課題を有するものであった。
【００１０】
【課題を解決するための手段】
本発明は上記課題を解決するために、載置台に充電部とアイロン本体の給電端子とを接続する接続部を設け、アイロン本体を載置台に載置した時、この接続部を充電部側へ移動させて、充電部と給電端子を電気的に接続させるようにしたものである。
【００１１】
上記発明によれば、載置台に充電部とアイロン本体の給電端子とを接続する接続部を設けたため、簡単な構成で小型で安全かつ安定性にも優れたコードレスアイロンを安価に提供することができる。
【００１２】
【発明の実施の形態】
本発明の請求項１に記載の発明は、給電端子を有するアイロン本体と、このアイロン本体を載置する載置部、電極を設けた充電部、およびこの充電部と前記給電端子を接続する接続部を有する載置台とを備え、前記アイロン本体を載置台に載置した時、前記接続部を充電部側へ移動させて、前記充電部と給電端子を電気的に接続させるようにしたものであり、アイロン本体を載置台に載置して初めて充電部と給電端子が電気的に接続されるようにしたため、アイロン本体を載置台から取りはずした状態では、載置台に触れても安全である。
【００１３】
本発明の請求項２に記載の発明は、上記請求項１に記載の記載の発明において、接続部は給電端子と充電部を電気的に接続する導電部を備えたもので、アイロン本体の給電端子の長さもしくは突出長を短くすることができるため、安定した電気的接続を実現できるとともに、耐久性も向上させることができる。
【００１４】
また、本発明の請求項３に記載の発明は、上記請求項１または２に記載の発明において、接続部は、充電部の外面を覆うカバー部を有するとともに、前記カバー部は、アイロン本体を載置台から離脱した時、前記充電部の電極を覆うようにしたもので、アイロン掛け作業等でアイロン本体を載置台から取りはずした状態でも載置台の電極にあやまって触れることがないため、安全なアイロン掛け作業ができる。
【００１５】
また、本発明の請求項４に記載の発明は、上記請求項１〜３に記載の発明において、載置台は、アイロン本体の後部を下にして自立状態に載置するようにしたもので、アイロン本体全体の重量を接続部の充電部側への移動荷重および充電部と給電端子の接続圧力として利用できるので、安定した接続動作と電源の供給が得られる。
【００１６】
そして、本発明の請求項５に記載の発明は、上記請求項１〜３に記載の発明において、載置台は、アイロン本体の掛け面を下にして前上がりに傾斜させて載置するようにしたもので、遮蔽体等の複雑な形状の部品を必要とせず、簡単な構成で安価なコードレスアイロンを提供できる。
【００１７】
【実施例】
以下、本発明の実施例について図面を用いて説明する。
【００１８】
（実施例１）
図１は本発明の実施例１のコードレスアイロンのアイロン本体載置時を示す要部断面図、図２は同コードレスアイロンのアイロン本体取りはずし時の要部断面図で、図３は同コードレスアイロンの接続部を示す斜視図である。
【００１９】
図１〜図３において、１はヒータ９によって加熱されるアイロン掛け面であるベース１０を有するアイロン本体で、その後部には、凹状に形成した給電部１１内に一対の給電端子５をその後端面１２から後方へ突出するように設けてある。この一対の給電端子５はアイロン本体１の内部でヒータ９に接続されている。
【００２０】
なお、使用地域によっては、アース端子を含めて３本の給電端子を必要とする場合があるが、本実施例では、一対の給電端子として説明する。
【００２１】
２は不使用時および加熱時にアイロン本体１を後部を下にして自立状態に載置する載置台で、アイロン本体１を載置した時にアイロン本体１の給電部１１と対向する位置に充電部３を設けてある。この充電部３は、載置台２の上面から略円筒状にへこませた凹部１３を有し、その底部平面には、アイロン本体１を載置したときに、前記一対の給電端子５とそれぞれ接続され、アイロン本体１に給電してヒータ９を加熱する一対の電源端子４を設けてある。
【００２２】
充電部３は、この凹部１３と一対の電源端子４の他に、接続部１４と、ばね１５と、カバー１６とから構成されており、接続部１４は、ばね１５によって上方に付勢された状態で、略円筒状の凹部１３の内周に設けたガイド部１７に上下摺動可能に嵌合されており、上方への移動はカバー１６により規制されている。
【００２３】
接続部１４は、プラスチック等の絶縁材料より成り、図３に示すように、略円筒形状の外形をなし、ばね１５を嵌入させる部分を凹設し、アイロン本体１の一対の給電端子５が貫通できるように、一対の半リング状の穴部１８を上下貫通して設けてある。なお、この穴部１８の形状を半リング状としてあるのは、アイロン本体１を載置台２に載置する際に、任意の位相角度で載置できるようにするためである。
【００２４】
次に本実施例の構成による動作、作用について説明する。まず、アイロン本体１が載置台２にない時、接続部１４はばね１５により上方に付勢され、その上面がカバー１６の下面に当接している。この状態では、載置台２の充電部３は、接続部１４およびカバー１６によって上面が覆われているので、外部からのほこりや異物の侵入を防止でき、アイロン本体を載置した際の電源端子４と給電端子５間の接触不良の原因を排除できる。また、ヘアピン等の金属異物の侵入による一対の電源端子４間のショートも防止できる。
【００２５】
さらに、接続部１４の上部を構成するカバー部２０が、電源端子４の上方を覆っているので、外部から電源端子４に触れる虞もなく、安全性を向上させることができる。
【００２６】
次に、アイロン本体１を後部を下にして自立状態で載置台２に載置する場合、アイロン本体１の一対の給電端子５を接続部１４に設けた一対の穴部１８に嵌め合わせてアイロン本体１を手から離すと、まず、アイロン本体１の後端面１２が接続部１４の上面に当接する。この状態では、給電端子５の先端が充電部３の電源端子４には届かないように給電端子５等の各部の寸法を設定してあり、給電端子５と電源端子４とは、まだ電気的に接続されてはいない。
【００２７】
その状態からさらに経過すると、アイロン本体１の自重により、ばね１５が圧縮されていき、それに伴って、接続部１４は、アイロン本体１とともに下方へ移動し始める。
【００２８】
やがて、アイロン本体１の一対の給電端子５のそれぞれが載置台２の一対の電源端子４に届き、接続部１４およびアイロン本体の下降が停止する。ここで、アイロン本体１の荷重が接触圧力として働いた状態で、給電端子５と電源端子４とが電気的に接続され、アイロン本体１のヒータ９に給電され、加熱される。
【００２９】
この際、アイロン本体１の後部を下にして自立状態に載置するようにしているので、アイロン本体１全体の重量を接続部１４の充電部３側への移動荷重および充電部３の電源端子４と給電端子５の接続圧力として利用できるので、安定した接続動作と電源の供給が得られる。
【００３０】
このように、アイロン本体１を載置台２に載置して初めて充電部３と給電端子５が電気的に接続されるようにしたため、および、接続部１４のカバー部２０が充電部３の電源端子４を覆うようにしたため、アイロン本体１を載置台２から取りはずした状態では、載置台２に触れても感電することがなく安全である。
【００３１】
また、給電端子５が下降してきて電源端子４と接続される瞬間に、火花を発生する場合があるが、本実施例の構成によれば、接続部１４が給電端子５と電源端子４の接触部分を覆い隠しているため、外からは火花が見えず、使用者に無用の不安を与えることがない。
【００３２】
（実施例２）
図４は本発明の実施例２のコードレスアイロンのアイロン本体載置時を示す要部断面図、図５は同コードレスアイロンのアイロン本体取りはずし時の要部断面図である。
【００３３】
本実施例２において、実施例１と異なる点は、接続部１４に、実施例１では一対の半リング状の穴部１８を上下貫通して設けてあるのに対し、一対の半リング状の導電部１９を上面から下面に連通させて設けた点である。すなわち、接続部１４のアイロン本体１の給電端子５に対応する位置に一対の半リング状の貫通穴を穴加工し、その貫通穴に導電部１９を、その下端を接続部１４の内面下面より突出させ、上端を接続部１４の上面より少し奥まで陥没させた状態に圧入してある。
【００３４】
なお、実施例１と同一符号のものは同一構造を有し、説明は省略する。
【００３５】
次に動作、作用を説明する。まず、アイロン本体１が載置台２にない時、接続部１４はばね１５により上方に付勢され、その上面がカバー１６の下面に当接している。この状態では、載置台２の充電部３は、接続部１４およびカバー１６によって上面が覆われているので、外部からのほこりや異物の侵入を防止でき、アイロン本体を載置した際の電源端子４と給電端子５間の接触不良の原因を排除できる。また、ヘアピン等の金属異物の侵入による一対の電源端子４間のショートも防止できる。
【００３６】
さらに、接続部１４の上部を構成するカバー部２０が、電源端子４の上方を覆っているので、外部から電源端子４に触れる虞もなく、安全性を向上させることができる。
【００３７】
本実施例の場合、接続部１４に実施例１のような穴部１８がないので、上記の各効果はさらに大きなものが期待できる。
【００３８】
次に、アイロン本体１を後部を下にして自立状態で載置台２に載置する場合、アイロン本体１の一対の給電端子５を接続部１４に設けた一対の導電部１９に対向させてアイロン本体１を手から離すと、まず、アイロン本体１の後端面１２が接続部１４の上面に当接するよりわずかに早く、一対の給電端子５が接続部１４の一対の導電部１９の上端に当接される。この状態では、導電部１９の下端が充電部３の電源端子４には届かないように導電部１９等の各部の寸法を設定してあり、給電端子５と電源端子４とは、まだ電気的に接続されてはいない。
【００３９】
その状態からさらに経過すると、アイロン本体１の自重により、ばね１５が圧縮されていき、それに伴って、接続部１４は、アイロン本体１とともに下方へ移動し始める。
【００４０】
やがて、接続部１４の一対の導電部１９の下端のそれぞれが載置台２の一対の電源端子４に届き、接続部１４およびアイロン本体の下降が停止する。ここで、アイロン本体１の荷重が接触圧力として働いた状態で、給電端子５と電源端子４とが導電部１９を介して電気的に接続され、アイロン本体１のヒータ９に給電され、加熱される。
【００４１】
本実施例の場合、接続部１４は給電端子５と充電部３を電気的に接続する導電部１９を備えているので、アイロン本体１の給電端子５の長さもしくは突出長を短くすることができるため、安定した電気的接続を実現できるとともに、耐久性も向上させることができる。
【００４２】
また、この種のコードレスアイロンにおいては、電気的に接続あるいは切断される際に火花を発生する場合があるが、本実施例の構成によれば、アイロン本体１の給電端子５が接続部１４の導電部１９に当接した後、接続部１４が下降して導電部１９と載置台２の電源端子４とが当接して初めて電気的に接続されるため、接続部１４が電源端子４の接触部分を覆い隠していて、外からは火花が見えず、使用者に無用の不安を与えることがない。
【００４３】
なお、本実施例では、導電部１９を接続部１４に圧入しているが、導電部１９をばねを介して接続部１４に保持するように構成すれば、アイロン本体１の載置および給電端子５と導電部１９の接続をより安定したものとすることができる。
【００４４】
（実施例３）
図６は本発明の実施例３のコードレスアイロンのアイロン本体載置時を示す要部断面図である。
【００４５】
本実施例３において、実施例１と異なる点は、載置台２を、アイロン本体１の掛け面を下にして前上がりに傾斜させて載置するようにして、その後部に充電部３、接続部１４等を組み込んだ点である。
【００４６】
図６において、１はアイロン本体で、後部に給電端子５が後方へ突出するように設けられている。２はアイロン本体１を載置する載置台で、アイロン本体１を載置した時、アイロン本体１の後部が低くなるように、前上がりに傾斜させるとともに、アイロン本体１後部の給電端子５と接続される電源端子４を有する充電部３を後部に設けている。
【００４７】
この充電部３は、実施例１と同様の構成および構造であり、同一符号のものは同一構造を有し、説明は省略する。また、動作、作用についても実施例１と同様であるので、説明は省略する。
【００４８】
本実施例によれば、アイロン本体の掛け面を下にして前上がりに傾斜させて載置するようにしたタイプのものでも、遮蔽体等の複雑な形状の部品を必要とせず、簡単な構成で安価なコードレスアイロンを提供できる。
【００４９】
【発明の効果】
以上説明したように本発明のコードレスアイロンは、アイロン本体を載置台に載置した時、接続部を充電部側へ移動させて、充電部と給電端子を電気的に接続させるようにしたものであり、アイロン本体を載置台に載置して初めて充電部と給電端子が電気的に接続されるようにしたため、アイロン本体を載置台から取りはずした状態でも載置台に触れても安全であり、簡単な構成で的確に電気的接続を行うことができるという従来にない格別の効果がある。
【図面の簡単な説明】
【図１】本発明の実施例１におけるコードレスアイロンのアイロン本体載置時を示す要部断面図
【図２】同コードレスアイロンのアイロン本体取りはずし時の要部断面図
【図３】同コードレスアイロンの接続部を示す斜視図
【図４】本発明の実施例２におけるコードレスアイロンのアイロン本体載置時を示す要部断面図
【図５】同コードレスアイロンのアイロン本体取りはずし時の要部断面図
【図６】本発明の実施例３におけるコードレスアイロンのアイロン本体載置時を示す要部断面図
【図７】従来のコードレスアイロンのアイロン本体載置時を示す要部断面図
【図８】同コードレスアイロンの充電部の断面図
【図９】同コードレスアイロンの載置台の断面図
【図１０】他の従来のコードレスアイロンのアイロン本体載置時を示す要部断面図
【図１１】同コードレスアイロンの遮蔽体の斜視図
【符号の説明】
１  アイロン本体
２  載置台
３  充電部
４  電源端子
５  給電端子
９  ヒータ
１０  ベース
１１  給電部
１４  接続部
１５  ばね
１６  カバー
１７  ガイド部
１８  穴部
１９  導電部
２０  カバー部
【図１】
2005034184.tif 000003
【図２】
2005034184.tif 000004
【図３】
2005034184.tif 000005
【図４】
2005034184.tif 000006
【図５】
2005034184.tif 000007
【図６】
2005034184.tif 000008
【図７】
2005034184.tif 000009
【図８】
2005034184.tif 000010
【図９】
2005034184.tif 000011
【図１０】
2005034184.tif 000012
【図１１】
2005034184.tif 000013